(57)【特許請求の範囲】
【請求項１】
一連の動画を、複数の動画要素に時間的に分割して複数の第１ファイルを生成し、更に、前記複数の第１ファイルに複数の第１ファイル名を夫々付与し、前記複数の第１ファイル名は前記動画の時系列順に順序付けされている第１ファイル作成部と、
前記複数の第１ファイルから複数のスライド要素を夫々生成するスライド作成部と、
前記複数のスライド要素から複数の第２ファイルを生成し、前記複数の第２ファイルに複数の第２ファイル名を夫々付与し、前記複数の第２ファイル名は順序付けされていると同時に、前記複数の第２ファイルは前記複数の第１ファイルと夫々対応付けられている第２ファイル作成部と、
前記複数の第１ファイルと前記複数の第２ファイルとを記録する格納部と、
前記格納部から読み込んだ前記各第１ファイルの前記各動画要素を前記第１ファイル名の順序付けに従って表示し、前記各動画要素の表示に同期して、前記各第１ファイルに対応した前記第２ファイルに含まれる前記スライド要素を表示する表示制御部と、
を具備した
スライド作成器。
【請求項２】
請求項１に記載されたスライド作成器であって、
前記第１ファイル作成部は、前記複数の第１ファイルを作成する際に、前記複数の動画要素の夫々に同じ拡張子を付け、
前記第２ファイル作成部は、前記複数の第２ファイルを作成する際に、前記複数のスライド要素の夫々に同じ拡張子を付ける
スライド作成器。
【請求項３】
請求項１又は２に記載されたスライド作成器であって、
前記複数の第１ファイル名の順序付けと前記複数の第２ファイル名の順序付けとが、同一の序数によって行われることで、前記複数の第１ファイルの夫々は前記複数の第２ファイルの夫々と対応付けられている
スライド作成器。
【請求項４】
請求項１乃至３のいずれかに記載されたスライド作成器であって、
前記スライド作成部は、前記複数の第１ファイルに含まれる前記複数の動画要素から、
前記複数のスライド要素を夫々生成する
スライド作成器。
【請求項５】
請求項１乃至４のいずれかに記載されたスライド作成器であって、
更に、
プログラムを作成するプログラム作成器と、
前記プログラムを記録する記録器と、
を具備し、
前記プログラム作成器は、
一連の動画が分割された前記複数の動画要素に対応して、連続する前記複数の第１ファイル名を夫々入力する第１入力部と、
前記複数のスライド要素に対して、前記第２ファイル名を夫々入力する第２入力部と、
を備え、
前記複数の第１ファイル名は数字を含んでおり、
前記第１入力部は、時系列的に次の前記動画要素に前記第１ファイル名を入力する際に、前記第１ファイル名に含まれる数字を数字Ｎから数字Ｎ＋１に自動的に変更する
スライド作成器。
【請求項６】
請求項５に記載されたスライド作成器であって、
前記第１入力部は、前記複数の動画要素の夫々に対して、前記第１ファイル名に加えて、同じ第１拡張子を入力し
前記第２入力部は、前記複数のスライド要素の夫々に対して、前記第２ファイル名に加えて、同じ第２拡張子を入力する
スライド作成器。
【請求項７】
請求項６に記載されたスライド作成器であって、
前記プログラム作成器は、更に、ディスプレイを備え、
前記ディスプレイは、
前記複数の動画要素の各々を表示する動画表示欄と、
前記動画表示欄に表示された前記動画要素に入力する前記第１ファイル名と、前記動画表示欄に表示された前記動画要素を含む前記第１ファイルに対応した前記スライド要素に入力する前記第２ファイル名と、を表示するファイル名表示欄と、
を備え、
前記ファイル名表示欄に表示される前記第１ファイル名及び前記第２ファイル名は、前記動画要素の時系列的な順序付けに対応して連続するような数字である
スライド作成器。
【請求項８】
一連の動画を、複数の動画要素に時間的に分割するステップと、
前記複数の動画要素に対して、前記動画の再生順に順序付けされた複数の第１ファイル名を夫々付与した複数の第１ファイルを作成するステップと、
前記複数の第１ファイルから複数のスライド要素を夫々生成するスライド生成ステップと、
前記複数のスライド要素に対して、前記動画の再生順に順序付けられた複数の第２ファイル名を夫々付与し、更に、前記複数の第１ファイルと夫々対応付けられている複数の第２ファイルを作成するステップと、
前記複数の第１ファイルに含まれる前記複数の動画要素を前記動画の再生順に従って表示部に表示し、前記各動画要素の表示に同期して、対応する前記各第２ファイルに含まれる前記各スライド要素を前記表示部に表示するように制御するステップと、
を具備した
スライド作成方法。
【請求項９】
請求項８に記載されたスライド作成方法であって、
前記複数の第１ファイルを作成するステップは、前記複数の動画要素の夫々に対して同じ第１拡張子を付けるステップを含み、
前記複数の第２ファイルを作成するステップは、前記複数のスライド要素の夫々に対して同じ第２拡張子を付けるステップを含む
スライド作成方法。
【請求項１０】
請求項８又は９に記載されたスライド作成方法であって、
前記複数の第１ファイル名の順序付けと、前記複数の第２ファイル名の順序付けとが、
同一の序数によって行われることで、前記複数の第１ファイルの夫々は、前記複数の第２ファイルの夫々と対応付けられている
スライド作成方法。
【請求項１１】
請求項８乃至１０のいずれかに記載されたスライド作成方法であって、
前記スライド生成ステップにおいて、前記複数のスライド要素は、前記複数の第１ファイルに含まれる前記複数の動画要素から夫々生成される
スライド作成方法。
【請求項１２】
一連の動画を、複数の動画要素に時間的に分割するステップと、
前記複数の動画要素に対して、前記動画の再生順に順序付けされた複数の第１ファイル名を夫々付与した複数の第１ファイルを作成するステップと、
前記複数の第１ファイルから複数のスライド要素を夫々生成するスライド生成ステップと、
前記複数のスライド要素に対して、前記動画の再生順に順序付けられた複数の第２ファイル名を夫々付与し、更に、前記複数の第１ファイルと夫々対応付けられている複数の第２ファイルを作成するステップと、
前記複数の第１ファイルに含まれる前記複数の動画要素を前記動画の再生順に従って表示部に表示し、前記各動画要素の表示に同期して、対応する前記各第２ファイルに含まれる前記各スライド要素を前記表示部に表示するように制御するステップと、
をコンピュータに実行させるためのスライド作成プログラム。
【請求項１３】
請求項１２に記載されたスライド作成プログラムであって、
前記複数の第１ファイルを作成するステップは、前記複数の動画要素の夫々に対して同じ第１拡張子を付けるステップを含み、
前記複数の第２ファイルを作成するステップは、前記複数のスライド要素の夫々に対して同じ第２拡張子を付けるステップを含む
スライド作成プログラム。
【請求項１４】
請求項１２又は１３に記載されたスライド作成プログラムであって、
前記複数の第１ファイル名の順序付けと、前記複数の第２ファイル名の順序付けとが、
同一の序数によって行われることで、前記複数の第１ファイルの夫々は、前記複数の第２ファイルの夫々と対応付けられている
スライド作成プログラム。
【請求項１５】
請求項１２乃至１４のいずれかに記載されたスライド作成プログラムであって、
前記スライド生成ステップにおいて、前記複数のスライド要素は、前記複数の第１ファイルに含まれる前記複数の動画要素から夫々生成される
スライド作成プログラム。
【発明の詳細な説明】
【０００１】
【発明の属する技術分野】
本発明は、スライド作成器に関し、特に、動画を投影するスライド作成器に関する。
【０００２】
【従来の技術】
学術会議のような大勢の参加者が集まる会合でその参加者の全員が共通の画像を見ることができるように、大画面用のプロジェクタが用いられる。そのプロジェクタは、スライドを有している。商品別売上高を示すグラフの月別表示、手術経過の時系列表示のような画像情報変化を示すために、スライドの切換が必要である。連続的変化を示すために、複数スライドが用意される。そのような変化の認識は人の記憶に依存していて、複数画像の時系列変化はその変化を人に認識させにくく、時間的に先行する前画像の再表示が必要になる。このような再表示を回避する技術が、特開平２−２８７３３８号で知られている。公知のこのような技術は、同一スクリーンに複数画像を複数位置に独立に同時に表示することを可能にしている。
【０００３】
書き換え自在なスライドが用いられる最近の画像表示装置は、スライドの高速な切換により動画を再生して表示することができる。このような画像表示装置には、スライドと動画を同時的に連動させて、スライドを表示し動画を再生することが求められる。
【０００４】
スライドと動画を連動させるコンテンツを作成する公知技術は、スライドと動画のそれぞれに切り替えポインタが指定される。動画ファイルの中にポインタを指定して挿入するそのような公知技術には、エンコードした後にポインタを指定して挿入する方式（例示：Real  Audio  Player）とエンコードする前にポインタを指定して挿入する方式（例示：Windows  Media  Technology）とが知られている。このように、公知の方式は、動画ファイルの作成者がエンコードするタイミングを意識していなければならない。エンコードするタイミングを意識しないで、スライドと動画とが連動するファイルの作成することができることが求められる。
【０００５】
【発明が解決しようとする課題】
本発明の課題は、エンコードするタイミングを意識しないで、スライドと動画とが連動するファイルの作成することができるスライド作成器を提供することにある。
【０００６】
【課題を解決するための手段】
その課題を解決するための手段が、下記のように表現される。その表現中に現れる技術的事項には、括弧（）つきで、番号、記号等が添記されている。その番号、記号等は、本発明の実施の複数の形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【０００７】
本発明によるスライド作成器は、一連の動画（１）が分割された複数の動画要素（１−Ｎ）を電子情報化する動画要素作成コンピュータ部分と、複数の動画要素（１−Ｎ）を複数のスライド要素（２−Ｎ）に変換するスライド作成コンピュータ部分と、複数の動画要素（１−Ｎ）に同じ第１拡張子（ｗｍｔ）を付け、複数の動画要素（１−Ｎ）に対応して順序づけが行われた第１ファイル名（００Ｎ）を付けて動画要素（１−Ｎ）に対応する複数の第１ファイル（３−Ｎ）を作成する第１ファイル作成コンピュータ部分と、複数のスライド要素（２−Ｎ）に同じ第２拡張子（ｐｐｔ）を付け、複数のスライド要素（２−Ｎ）に対応して順序づけが行われた第２ファイル名（００Ｎ）を付けてスライド要素（２−Ｎ）に対応する複数の第２ファイル（４−Ｎ）を作成する第２ファイル作成コンピュータ部分と、第１ファイル（３）と第２ファイル（４）とを記録する記録用コンピュータ部分とから構成されている。
【０００８】
第１ファイル名と第２ファイル名の順序対応により、動画とスライドの連成が無意識的に自動的に可能になる。記録用コンピュータ部分は着脱自在であるから、作成場所から会議場に運搬することが可能である。ｅ−メール伝送は可能である。第１ファイル名と第２ファイル名は、同じ順番で互いに同じであることは、プログラム行数を少なくする。第１ファイル名が連続番号であることは、プログラム行数を少なくする。
【０００９】
作成器としてＰＣが用いられる。ＰＣは表示画面（１２）を有している。表示画面には、第１ファイル（３）に対応する複数の動画要素（１−Ｎ）が第１ファイル名（００Ｎ）の順序づけに従って表示される。表示画面（１２）には、第２ファイル（４）に対応する複数のスライド要素（２−Ｎ）が第２ファイル名（００Ｎ）の順序づけに従って動画要素（１−Ｎ）の表示と同時に表示される。両画像を１画面上に見ることにより、スライド投影と原動画の一致性が容易に確認される。
【００１０】
複数のスライド要素（２−Ｎ）は動画要素（１−Ｎ）の表示と同時にスクリーンに投影されることが可能になっている。
【００１１】
プログラムを作成する作成器（１１）と、プログラムを記録する記録器とが追加される。プログラム作成器（１１）は、一連の動画（１）が分割された複数の動画要素（１−Ｎ）に対応して数字的に連続するファイル名（００Ｎ）と同じ第１拡張子（ｗｍｔ）を入力する第１入力部分（１５，１６）と、動画要素（１−Ｎ）に対応するスライド要素（２−Ｎ）に対応してファイル名（００Ｎ）と第２拡張子（ｐｐｔ）を入力する第２入力部分（１７，１８）とを有している。第１入力部（１５，１６）は、次の動画要素（１−（Ｎ＋１））にファイル名（００Ｎ＋１）を入力する際に、ファイル名の数字ＮをＮ＋１に自動的に変更する。この操作により、プログラム作成がより自動化される。
【００１２】
プログラム作成器（１１）は、ディスプレイ（１２）を更に有している。ディスプレイ（１２）は、ファイル名（００Ｎ）を表示するファイル名表示欄（１５，１７）と、動画要素（１−Ｎ）を表示する動画表示欄（１３）とを有し、ファイル名表示欄（１５，１７）には連続数字が表示され、連続数字はファイル名として決定される。
【００１３】
【発明の実施の形態】
図に対応して、本発明によるスライド作成器の実施の形態は、スライドと動画とがスライドの内容に対応してブロック化される。その動画は、図１に示されるように、動画要素１−１〜ｊ（今の場合、ｊ＝５）の集合が、１ブロック化されてブロック１が構成されている。ブロック１のそれぞれの動画要素１−１，１−２，・・・，１−５は、スライド要素２−１，２−２，・・・，２−５に内容的に（コンテンツ要素として）対応している。
【００１４】
図２に示されるように、５つに分割された動画要素１−１〜１−５のそれぞれは、個々にファイル化される。動画要素１−１は、内容的には時間的に動画要素１−２に先行し、動画要素１−ｔは、内容的には時間的に動画要素１−（ｔ＋１）に先行し、動画要素１−４は、内容的には時間的に動画要素１−５に先行している。任意の１つの動画要素１−ｔは、個別的に分割されたファイルとして分割ファイル化され、個別的にファイル名が与えられる。
【００１５】
例示的には、動画要素１−１は、これに”００１”がファイル名として与えられ、拡張子”ｗｍｔ”が付けられて、「００１．ｗｍｔ」として分割的にファイル化され、スライド要素２−１に内容的に対応して動画ファイル要素３−１が作成される。動画要素１−２は、”００２”がファイル名として与えられ、共通の拡張子”ｗｍｔ”が付けられて、「００２．ｗｍｔ」として分割的にファイル化され、スライド要素２−２に内容的に対応して動画ファイル要素３−２が作成される。動画要素１−５は、”００５”がファイル名として与えられ、共通の拡張子”ｗｍｔ”が付けられて、「００５．ｗｍｔ」として分割的にファイル化され、スライド要素２−５に内容的に対応して動画ファイル要素３−５が作成される。動画ファイル要素３−１〜３−５の拡張子は、同一ブロックの範囲では”ｗｍｔ”で共通である。
【００１６】
スライド要素２−１〜２−５は、図２に示されるように、このように分割ファイル化された動画ファイル要素３−１〜３−５に対応して、スライドファイル要素４−１〜４−２として作成される。スライド要素２−１は、動画ファイル名”００１”に数字的に対応する”００１”がファイル名として与えられ、拡張子”ｐｐｔ”が付けられて、「００１．ｐｐｔ」として分割的にファイル化され、スライドファイル要素４−１が作成される。スライド要素２−２は、動画ファイル名”００１”に数字的に対応する”００２”がファイル名として与えられ、共通の拡張子”ｐｐｔ”が付けられて、「００２．ｐｐｔ」として分割的にファイル化され、スライドファイル要素４−２が作成される。スライド要素１−５は、動画ファイル名”００１”に数字的に対応する”００５”がファイル名として与えられ、共通の拡張子”ｐｐｔ”が付けられて、「００５．ｐｐｔ」として分割的にファイル化され、スライドファイル要素４−５が作成される。スライドファイル要素４−１〜４−５の拡張子は、同一ブロックの範囲では”ｐｐｔ”で共通である。
【００１７】
動画ファイル要素３−１〜３−５は、図３に示されるように、動画作成者により、１ブロックの集合である設定ファイルとしてコンピュータ内に設定される。設定ファイルは、プログラム化ファイルであり、時系列を有してプログラム化される。図４に示されるように、動画ファイル要素３−１〜３−５は、ファイルの時系列順序に従って、表示部に表示される。動画ファイル要素３−３が、その１ブロック内で３番目に表示されると、その表示に同期して（実質的に同時に）、スライドファイル要素４−３がスライド構成部に再構成される。このような同期のためのポインタの指定は不要である。
【００１８】
分割された各要素は、個々に、コンピュータの動作としては、１つのファイルとして扱われるので、それらをエンコードする際のタイミングは、作成者には全く意識されていない。従来では、ファイル形式ごとに連動のためのプログラムを作成しなければならないが、一般向けのシステム開発を行う場合に、本発明によれば、ファイル名と拡張子を付けるだけで（ファイルを分割するだけで）、どのようなファイル形式にも自動的に（無作為的に）対応して連動プログラムを容易に作成することができる。
【００１９】
図５〜図６は、本発明によるスライド作成器の実施の他の形態を示している。図５に示されるように、動画ファイル要素３−１〜３−５の拡張子は、”ｗｍｔ”から”ＡＶＩ”に変更されている。図６は、動画ファイル要素３−１〜３−５の時系列プログラムを示している。その時系列プログラムは、その動画ファイル要素３−１〜３−５の存在位置を確定している。動画ファイル要素３−１の存在位置は、動画ファイル要素３−１〜３−５の存在を記述するプログラムの時系列行の第１行に記載されている。動画ファイル要素３−２の存在位置は、その時系列行の第２行に記載されている。動画ファイル要素３−５の存在位置は、その時系列行の第５行に記載されている。その時系列行の先頭と後尾にそれぞれに、開始と終了が記載されている。設定ファイルは、開始と終了の間の５行に記載されて構成されている。
【００２０】
図７に示されるように、動画ファイル要素３−１〜３−５は行順に再生され、例えば、図７（ａ）と時系列的に次ぎである図７（ｂ）に示されるように、動画ファイル要素３−３の再生終了に時系列的に次ぎの動画ファイル要素３−４が再生部に再生される。動画ファイル要素３−３，４に時系列的に対応して、スライドファイル要素４−３，４が表示される。
【００２１】
連成ファイルの自動作成プログラム：
第１行：００１００
＃＃ｓｔａｒｔ＃＃
第２行：００１００
００１．ｗｍｔ，００１．ｐｐｔ：００１≡動画要素１−１（＝スライド要素２−１）
第３行：００２００
００２．ｗｍｔ，００２．ｐｐｔ：００２≡動画要素１−２（＝スライド要素２−２）
第Ｎ行：００（Ｎ−１）００
００（Ｎ−１）．ｗｍｔ：００（Ｎ−１）≡動画要素１−Ｎ（＝スライド要素２−Ｎ）
・・・
第６行：００５００
００５．ｗｍｔ，００５．ｐｐｔ：００５≡動画要素１−５（スライド要素２−５）
【００２２】
ディスプレイの動画ファイル１−Ｎと動画スライド２−Ｎとを対応させて自動表示動画スライドを作成する自動作成方法は、図８に示されるＰＣ１１を用いて実行される。ＰＣ１１は、動画要素１−１を入力して表示するディスプレイ１２を有している。ディスプレイ１２は、動画要素１−Ｎを表示する動画表示領域１３と、動画表示領域から独立しプログラム行数を自動表示する行番号入力欄又は行番号自動表示欄１４と、動画要素１−Ｎの動画番号００Ｎを表示する動画要素番号（ファイル名）入力欄又は動画要素番号（ファイル名）自動表示欄１５と、それに対応する拡張子を入力する動画対応拡張子入力欄又は動画対応拡張子表示欄１６と、スライド要素２−Ｎのスライド番号００Ｎを表示するスライド番号（ファイル名）入力欄又はスライド番号（ファイル名）自動表示欄１７と、それに対応する拡張子を入力するスライド対応拡張子入力欄又はスライド対応拡張子表示欄１８ととを有している。
【００２３】
自動作成方法：
その自動作成方法のプロセスは、下記の通りである。
ステップ１：
プログラムが起動され、第２行（行番号００２００）の作成が可能になる。動画要素番号自動表示欄１５には、００１がディスプレイ１２に自動入力され、その００１が動画要素番号自動表示欄１５に書き込まれて表示される。動画対応拡張子表示欄１６に拡張子が自動入力されて表示される。動画対応拡張子表示欄１６をクリックすることにより、拡張子の変更が可能である。決定ボタン１９をクリックすることにより、その拡張子（＝ｗｍｔ）が決定される。次に、スライド番号自動表示欄１７に００１が自動入力されて表示される。スライド対応拡張子表示欄１８に拡張子が自動入力されて表示される。スライド対応拡張子表示欄１８をクリックすることにより、拡張子の変更が可能である。決定ボタン１９をクリックすることにより、その拡張子（＝ｐｐｔ）が決定される。決定ボタン１９をクリックすることにより、プログラム番号の変数が決定され、動画要素１−１がファイルされ、スライド２−１が決定される。
【００２４】
ステップ２：
決定ボタン１９をクリックすれば、Ｎ＝Ｎ＋１（Ｎは初期自動代入で０に設定されている）がＰＣ１１のＣＰＵで計算される。第３行（行番号００３００）の作成が可能になる。動画１−２がＰＣ１１に入力されて動画表示領域１３に表示される。動画要素番号自動表示欄１５には、００２がディスプレイ１２に自動入力され、その００２が動画要素番号自動表示欄１５に書き込まれて表示される。動画対応拡張子表示欄１６に同じ拡張子が自動入力されて表示される。動画対応拡張子表示欄１６をクリックすることにより、拡張子ｗｍｔの変更は不可能である。次に、スライド番号自動表示欄１７に００２が自動入力されて表示される。スライド対応拡張子表示欄１８に拡張子が自動入力されて表示される。その拡張子の変更は不可能である。動画要素１−２がファイルされ、スライド２−２が決定される。
【００２５】
ステップ３：
動画１−５がＰＣ１１に入力されて動画表示領域１３に表示される。Ｎに４が代入され、同様に、第６行（行番号００６００）の作成が可能になる。動画要素１−５がファイルされ、スライド２−５が決定される。
【００２６】
ステップ４：
終了ボタン２１がクリックされ、５つの分割ファイルの一連の動画１が１つのファイルとして作成され、５つの分割スライドの一連のスライド２が１つのスライドとして作成される。
【００２７】
そのようなファイル１とスライド２は、フロッピーディスク又は光ディスクのような記録媒体に転写されて、ＰＣ１１から取り出される。記録媒体は、会議場に持ち込まれる。会議場のＰＣにその記録媒体からファイル１とスライド２が読み込まれる。映写開始ボタン２２のクリックとｗｍｔとｐｐｔの指定と、開始番号００１と終了番号００５をキーボードから入力することにより、スライドを介して動画１が会議場のスクリーンに映写され、動画１はそのＰＣのディスプレイ１３に表示される。
【００２８】
【発明の効果】
本発明によるスライド作成器は、エンコードするタイミングを意識しないで、スライドと動画とが連動するファイルを作成することができる。
【図面の簡単な説明】
【図１】図１は、本発明によるスライド作成器の実施の形態の画像連成を示す位置対応図である。
【図２】図２は、画像領域のファイルの連成を示す位置対応図である。
【図３】図３は、プログラム表現を示すプログラム表現図である。
【図４】図４は、プログラムと画像連成を示すプログラム図である。
【図５】図５は、本発明によるスライド作成器の実施の他の形態の画像連成を示す位置対応図である。
【図６】図６は、プログラム図である。
【図７】図７（ａ），（ｂ），（ｃ）は、表示の遷移過程を示す正面図である。
【図８】図８は、本発明によるスライド作成器の実施の更に他の形態を示す正面図である。
【符号の説明】
１…動画
１−Ｎ…動画要素
２−Ｎ…スライド要素
３…第１ファイル
３−Ｎ…第１ファイル
４…第２ファイル
４−Ｎ第２ファイル
１１…プログラム作成器
１２…表示画面
１３…動画表示欄
１５，１６…第１入力部分
１７，１８…第２入力部分
１５，１７…ファイル名表示欄
ｗｍｔ…第１拡張子
ｐｐｔ…第２拡張子
【図１】
0003835301.tif 000002
【図２】
0003835301.tif 000003
【図３】
0003835301.tif 000004
【図４】
0003835301.tif 000005
【図５】
0003835301.tif 000006
【図６】
0003835301.tif 000007
【図７】
0003835301.tif 000008
【図８】
0003835301.tif 000009